(57)【要約】      （修正有）【課題】踏み台の高さを小刻みに調節でき、しかも徐々に高くしたり、腰の指圧やマッサージにも兼用可能とする健康増進用台の高さ調節機構を提供する。【解決手段】左右一対の開閉構造の脚と台ｔとが連結され、しかも左右の脚側の間にチェーンや鎖ｃを張ってあり、前記チェーンや鎖ｃの前記脚側への取付け部位を変更可能に構成してあるので、チェーンや鎖ｃの前記脚側への取付け部位を選択して、左右の脚側の間のチェーンや鎖ｃを長くすれば、脚の開度が大きくなって、台ｔは低くなるし、チェーンや鎖ｃを短くすると、脚の開度が小さくなって、台ｔは高くなる。チェーンや鎖ｃを利用するので、小刻みな高さ調節が可能となる。【選択図】図１
0003176249.tif 000002
【実用新案登録請求の範囲】
【請求項１】
チェーン又は鎖を利用して台の高さを調節する構造であって、
左右一対の開閉構造の脚と台とが連結され、しかも左右の脚側の間にチェーン又は鎖を張ってあり、前記チェーン又は鎖の前記脚側への取付け部位を変更可能に構成してあることを特徴とする健康増進用台の高さ調節機構。
【請求項２】
前記の台に多数の突起を設けてあり、使用者の足の土踏まずと対応する部位は、突起の高さを高くしてあることを特徴とする請求項１に記載の健康増進用台の高さ調節機構。
【考案の詳細な説明】
【技術分野】
【０００１】
本考案による健康増進用台の高さ調節機構は、特に昇降式の健康器具である踏み台などの高さを自由に調節できる機構に関する。
【背景技術】
【０００２】
長寿のためには運動が不可欠である。特に足の運動は大事であり、階段の上り下りを推奨する識者が多い。天候に左右されずに、かつ階段のない平屋でも出来る運動器具として、本考案の考案者は、特許文献１のような、昇降運動と同時に、踏み板の突起等による足裏への刺激を通じて、足裏の指圧効果と運動による血行促進の相乗効果を得られる昇降運動用踏台を提案した。
【先行技術文献】
【特許文献】
【０００３】
【特許文献１】実用新案登録第3165880 号
【考案の概要】
【考案が解決しようとする課題】
【０００４】
しかし、前記昇降運動用踏台の唯一の欠点は、踏み板の高さを調節できないので、高さが合わないと折角の踏み台が利用しづらいという事である。特に、リハビリを行なっているために、リハビリ効果に合わせて、踏み板の高さを徐々に高くしていきたい場合に不便である。
本考案の技術的課題は、このような問題に着目し、踏み台の高さを小刻みに調節でき、しかも徐々に高くしたり、腰の指圧やマッサージにも兼用可能な装置を実現することにある。
【課題を解決するための手段】
【０００５】
請求項１は、チェーンや鎖を利用して台の高さを調節する構造であって、左右一対の開閉構造の脚と台とが連結され、しかも左右の脚側の間にチェーンや鎖を張ってあり、前記チェーンや鎖の前記脚側への取付け部位を変更可能に構成してあることを特徴とする健康増進用台の高さ調節機構である。
つまり、左右の開閉する脚側の間に張ってあるチェーンや鎖を長くすれば、台は低くなるし、短くすると、台は高くなる。
【０００６】
請求項２は、前記の台に多数の突起を設けてあり、使用者の足の土踏まずと対応する部位は、突起の高さを高くしてあることを特徴とする請求項１に記載の健康増進用台の高さ調節機構である。
【考案の効果】
【０００７】
請求項１のように、左右一対の開閉構造の脚と台とが連結され、しかも左右の脚側の間にチェーンや鎖を張ってあり、前記チェーンや鎖の前記脚側への取付け部位を変更可能に構成してあるので、チェーンや鎖の前記脚側への取付け部位を選択して、左右の脚側の間のチェーンや鎖を長くすれば、脚の開度が大きくなって、台は低くなるし、チェーンや鎖を短くすると、脚の開度が小さくなって、台は高くなる。
チェーンや鎖を利用するので、小刻みな高さ調節が可能となり、リハビリする場合であれば、患者に合わせた高さ選択が可能となり、またリハビリ効果の進み具合に応じた高さ選択が可能となる。
しかも、チェーンや鎖で脚の開閉度合いを変え、結果的に高さが変わる構成を採っているので、より小さな変化を実現して、より小刻みに高さを変化させることができる。
【０００８】
請求項２のように、前記台に多数の突起を設ける場合に、使用者の足の土踏まずと対応する部位は、突起の高さを高くしてあるので、引っ込んでいる土踏まずも刺激を受け、土踏まずも指圧効果が得られる。
【図面の簡単な説明】
【０００９】
【図１】本考案の健康増進用台の実施形態を示す斜視図である。
【図２】図１の装置の高さを低くした状態を示す斜視図である。
【図３】別の実施形態を示す斜視図である。
【考案を実施するための形態】
【００１０】
次に本考案による健康増進用台の高さ調節機構が実際上どのように具体化されるか実施形態を詳述する。図１は、本考案の健康増進用台の実施形態であり、台が最も高い状態を示している。長方形の台ｔは、前後左右の４角に脚１、２、３、４を有している。
この脚１〜４は、開閉できるように、付け根の部分が軸５〜８で回動可能に支持されている。図示例は一例であって、蝶番その他のヒンジ機構などでも足りることは言うまでもないが、充分な強度が必要である。
【００１１】
前後の脚１と２、３と４は、一緒に同時に開閉するので、互いに連結手段９、１０で連結されている。材料や形状は特に限定されないため、金属でも合成樹脂でも木製でもよい。
１１、１２は接地足であり、前後の脚１と２間、又は脚３と４間に渡してある。ただし、前後の脚１と２及び３と４の下端に対し回動できるように、軸１３〜１６を介して支持されている。従って、連結手段９、１０と接地足１１、１２とは、ビスなどで連結固定してある。接着してもよい。
なお、連結手段９、10に対し接地足１１、１２が回動できる構造でもよいが、台ｔの上に人が載っても大丈夫なように頑丈に支持できることが肝要である。
【００１２】
左側の脚１、２と右側の脚３、４との開度を調節でき、調節した状態にロックできるように、チェーンや鎖Ｃを左側の連結手段９と右側の連結手段１０との間に取付けてある。
なお、チェーンや鎖Ｃの取付け位置は、左側の接地足１１と右側の接地足１２との間、又は左側の前脚１と右側の前脚３間、又は左側の後脚２と右側の後脚４間でもよい。ただし、脚１〜４に直接に取付ける場合は、脚１〜４の下端寄りに取付けるのが、安定性が良い。このように、チェーンや鎖Ｃの取付けは、脚側であれば足り、必ずしも脚１〜４である必要はない。
図示例では、チェーンや鎖Ｃの左端（基端）を左側の連結手段９の中間に取付け、チェーンや鎖Ｃの右側の自由端側を右側の連結手段１０の中間に取付けてある。図の場合は、左側の脚１、２と右側の脚３、４が閉じて鉛直に立ち、台ｔが最も高くなった場合に、それ以上閉じないように、ストッパーＳ１、Ｓ２を、脚１〜４の根元と台ｔとの間に設けてある。
【００１３】
左右の脚１、２と３、４間に張ってあるチェーンや鎖Ｃの長さが長くなるように、自由端側の取付け位置を、自由端寄りに変更すると、図２のように、左側の脚１、２と右側の脚３、４とを開くことができる。
この図から明らかなように、チェーンや鎖Ｃの長さがより長くなるように、自由端側の取付け位置を、より自由端寄りに変更するほど、左側の脚１、２と右側の脚３、４との開度が大きくなる。
チェーンや鎖Ｃの選択部位を連結手段１０に取付けるには、図２のようにＬピンＰなどを用いて引っ掛ける構造も可能であるが、図３のように、連結手段１０側にボルト挿通孔を開けてボルトＢを挿通し、チェーンや鎖Ｃの選択部位の空間部に前記ボルトＢを挿通することで、蝶ナットＮによる固定も可能である。従って、チェーンや鎖Ｃの取付け構造は特に限定されない。
【００１４】
図３のように、脚１〜４の下端も連結手段１１０、１２０も凸円弧にすると、互いに回動不能に固定することも可能だが、畳などを傷つけないように、板などを敷くのがよい。
脚１〜４の付け根を台ｔに回動可能に取付けるには、軸を台ｔの中に挿入した構造でも良いし、図３のように、台ｔの底面に丸棒状の軸を接着固定した構造でもよい。
【００１５】
図１、図２のように、多数の突起１７…を設けて足裏を刺激する場合は、使用者の足の土踏まずの部位も充分にかつ確実に押圧されるように、図１、図２のように突起１７ａ…の高さを他の突起１７…より高くすることが望ましい。この場合、図１（２）のように、最も高い突起１７ａと最も低い突起１７との差は１５ｍｍ程度が適しており、しかも土踏まずに合わせて徐々に高さを変えるのが良い。
なお、脚１、２と３、４を全開にして突起１７…を有する台ｔを低くし、その上で仰向けやうつ伏せになって使用することもできるので、用途は昇降運動だけに限られない。このようにしてマッサージや指圧の効果を得ることで腰の痛みの緩和や運動をする場合は、台ｔは、横長に限らず縦長に置いて使用することもできる。
【産業上の利用可能性】
【００１６】
以上のように、チェーンや鎖を利用して、踏み台の高さを小刻みに調節するので、任意の高さに調節でき、しかも腰のマッサージなどにも兼用できる。
【符号の説明】
【００１７】
ｔ  台
１〜４  脚
５〜８  軸
９、１０  連結手段
１１、１２  接地足
１３〜１６  軸
Ｃ  チェーンや鎖
Ｓ１、Ｓ２  ストッパー
Ｐ  Ｌピン
Ｂ  ボルト
Ｎ  蝶ナット
１７  突起
１７ａ  高い突起
【図１】
0003176249.tif 000003
【図２】
0003176249.tif 000004
【図３】
0003176249.tif 000005
【手続補正書】
【提出日】平成24年3月29日(2012.3.29)
【手続補正１】
【補正対象書類名】実用新案登録請求の範囲
【補正対象項目名】全文
【補正方法】変更
【補正の内容】
【実用新案登録請求の範囲】
【請求項１】
チェーン又は鎖を利用して台の高さを調節する構造であって、
左右一対の脚の上端と台とが開閉可能に連結され、
しかも左側の脚と右側の脚との間、又は左側の脚間を連結する手段と右側の脚間を連結する手段との間にチェーン又は鎖を張ってあり、
前記チェーン又は鎖の前記脚又は連結手段への取付け部位を変更して脚の開閉角度を変えることで台の高さを調節する構造であることを特徴とする健康増進用台の高さ調節機構。
【請求項２】
前記の台に多数の突起を設けてあり、使用者の足の土踏まずと対応する部位は、前記突起の高さを高くしてあることを特徴とする請求項１に記載の健康増進用台の高さ調節機構。
【手続補正２】
【補正対象書類名】明細書
【補正対象項目名】０００５
【補正方法】変更
【補正の内容】
【０００５】
請求項１は、チェーン又は鎖を利用して台の高さを調節する構造であって、
左右一対の脚の上端と台とが開閉可能に連結され、
しかも左側の脚と右側の脚との間、又は左側の脚間を連結する手段と右側の脚間を連結する手段との間にチェーン又は鎖を張ってあり、
前記チェーン又は鎖の前記脚又は連結手段への取付け部位を変更して脚の開閉角度を変えることで台の高さを調節する構造であることを特徴とする健康増進用台の高さ調節機構である。
つまり、左右の開閉する脚側の間に張ってあるチェーンや鎖を長くすれば、台は低くなるし、短くすると、台は高くなる。
【手続補正３】
【補正対象書類名】明細書
【補正対象項目名】０００６
【補正方法】変更
【補正の内容】
【０００６】
請求項２は、前記の台に多数の突起を設けてあり、使用者の足の土踏まずと対応する部位は、前記突起の高さを高くしてあることを特徴とする請求項１に記載の健康増進用台の高さ調節機構である。